(57)【要約】  装着者に適応化された眼鏡機器の少なくとも一部分を提供するコンピュータ手段により実施される方法であって、装着者データ受信ステップ（Ｓ１）、装着者データ格納ステップ（Ｓ２）、識別子送信ステップ（Ｓ３）、眼鏡機器設計送信ステップ（Ｓ４）、眼鏡機器データ受信ステップ（Ｓ５）、眼鏡機器データ格納ステップ（Ｓ６）、及び眼鏡機器データ送信ステップ（Ｓ７）を含む方法。
2015533431.tif 000002
【特許請求の範囲】
【請求項１】
装着者に適応化された眼鏡機器の少なくとも一部分を提供するコンピュータ手段により実施される方法であって、
●  少なくとも装着者データを含む第１の組のデータ（Ｄ１）が発注側（ＥＣＰ）から受信される装着者データ受信ステップ（Ｓ１）と、
●  前記第１の組のデータ（Ｄ１）が格納され、眼鏡機器の前記一部分を識別する眼鏡機器識別子ＩＤと関連付けられる装着者データ格納ステップ（Ｓ２）と、
●  前記眼鏡機器識別子ＩＤが前記発注側（ＥＣＰ）へ送信される識別子送信ステップ（Ｓ３）と、
●  少なくとも前記眼鏡機器識別子ＩＤを含む眼鏡機器設計要求が受信されると、前記格納された第１の組のデータの少なくとも一部を含む第２の組のデータ（Ｄ２）が眼鏡機器設計者側（ＬＤＳ）へ送信される眼鏡機器設計送信ステップ（Ｓ４）と、
●  前記第２の組のデータ（Ｄ２）を使用して計算された少なくとも眼鏡機器データ（ＯＬＤ）を含む第３の組のデータＤ３が前記眼鏡機器設計者側（ＬＤＳ）から受信される眼鏡機器データ受信ステップ（Ｓ５）と、
●  前記第３の組のデータ（Ｄ３）が格納され前眼鏡機器識別子ＩＤと関連付けられる眼鏡機器データ格納ステップ（Ｓ６）と、
●  少なくとも前記眼鏡機器識別子ＩＤを含む眼鏡機器データ要求が受信されると、前記眼鏡機器識別子ＩＤと関連付けられた前記格納された第３の組のデータに含まれる少なくとも前記眼鏡機器データ（ＯＬＤ）を含む第４の組のデータ（Ｄ４）であって前記眼鏡機器の前記少なくとも一部分を製造するために使用される第４の組のデータ（Ｄ４）が眼鏡機器製造者側へ送信される眼鏡機器データ送信ステップ（Ｓ７）とを含む方法。
【請求項２】
前記第２の送信ステップ（Ｓ４）前に、
●  少なくとも眼鏡機器設計データを含む第５の組のデータ（Ｄ５）が眼鏡機器製造者側（ＬＡＢ）から受信される眼鏡機器設計受信ステップと、
●  前記第５の組のデータ（Ｄ５）が格納され、前記格納された第１の組のデータ（Ｄ１）と前記眼鏡機器識別子ＩＤとに関連付けられる眼鏡機器設計格納ステップとをさらに含む、請求項１に記載の方法。
【請求項３】
前記眼鏡機器は少なくとも１つの光学レンズ及び／又は眼鏡フレーム及び／又は能動的眼鏡機器である、請求項１又は２に記載の方法。
【請求項４】
前記眼鏡機器データ（ＯＬＤ）は、前記眼鏡機器の前記一部分を製造する前記眼鏡機器製造者により使用される製造装置に適応化された処理製造データを含む、請求項１乃至３のいずれか一項に記載の方法。
【請求項５】
前記識別子送信ステップ後に、
●  少なくとも前記眼鏡機器識別子ＩＤを含む眼鏡機器個人化要求が受信されると、前記格納されたデータの少なくとも一部を含む第６の組のデータ（Ｄ６）が眼鏡機器個人化側（ＥＥＰＳ）へ送信される眼鏡機器個人化送信ステップ（ＳＰ１）と、
●  前記第６の組のデータ（Ｄ６）を使用して得られた眼鏡機器個人化データ（ＥＥＰＤ）を少なくとも含む第７の組のデータ（Ｄ７）が前記眼鏡機器個人化側（ＬＤＳ）から受信される眼鏡機器個人化データ受信ステップ（ＳＰ２）と、
●  前記第７の組のデータ（Ｄ６）が格納され前記眼鏡機器識別子ＩＤと関連付けられる眼鏡機器個人化データ格納ステップ（ＳＰ３）とをさらに含む請求項１乃至４のいずれか一項に記載の方法。
【請求項６】
前記眼鏡機器個人化データは前記眼鏡機器製造者により製造される前記一部分とは別の眼鏡機器の部分に関する、請求項５に記載の方法。
【請求項７】
前記眼鏡機器は一対の眼鏡レンズであり、前記眼鏡機器データは前記光学レンズに関係し、前記眼鏡機器個人化データは前記眼鏡フレームに関する、請求項５又は６に記載の方法。
【請求項８】
請求項１乃至７のいずれか一項に記載の方法の前記ステップは少なくともサーバと記憶装置とを含むネットワークデータ処理装置（ＥＷＤＢ）により行われ、
前記ネットワークデータ処理装置は前記発注側、前記眼鏡機器設計者側、及び前記眼鏡機器製造者へ接続され、
前記発注、前記眼鏡機器設計者側、前記眼鏡機器製造者の少なくとも１つはインターネット上で前記ネットワークデータ処理装置へ接続される、請求項１乃至７のいずれか一項に記載の方法。
【請求項９】
●  少なくとも装着者データを含む第１の組のデータ（Ｄ１）を発注側（ＬＯＳ）から受信する手段と、
●  前記第１の組のデータ（Ｄ１）を格納し、前記格納された第１の組のデータ（Ｄ１）と、前記装着者に適応化された眼鏡機器の前記一部分を識別する眼鏡機器識別子ＩＤとを関連付ける手段と、
●  前記眼鏡機器識別子ＩＤを前記発注側（ＥＣＰ）へ送信する手段と、
●  前記眼鏡機器識別子ＩＤを少なくとも含む眼鏡機器設計要求を受信する手段と、
●  前記眼鏡機器設計要求を受信すると、前記格納された第１の組のデータの少なくとも一部を含む第２の組のデータ（Ｄ２）を眼鏡機器設計者側（ＬＤＳ）へ送信する手段と、
●  前記第２の組のデータ（Ｄ２）を使用して計算された眼鏡機器データ（ＯＬＤ）を少なくとも含む第３の組のデータ（Ｄ３）を前記眼鏡機器設計者側（ＬＤＳ）から受信する手段と、
●  前記第３の組のデータ（Ｄ３）を格納し前記格納された第３の組のデータ（Ｄ３）と前記眼鏡機器識別子ＩＤとを関連付ける手段と、
●  少なくとも前記眼鏡機器識別子ＩＤを含む眼鏡機器データ要求を受信する手段と、
●  前記眼鏡機器データ要求を受信すると、前記眼鏡機器識別子ＩＤに関連付けられた前記格納された第３の組のデータに含まれる前記眼鏡機器データ（ＯＬＤ）を少なくとも含む第４の組のデータ（Ｄ４）であって、前記眼鏡機器の前記少なくとも一部分を製造するために使用される第４の組のデータ（Ｄ４）を眼鏡機器製造者側へ送信する手段と、を含むネットワークデータ処理装置。
【請求項１０】
●  少なくとも眼鏡機器設計データを含む第５の組のデータ（Ｄ５）を眼鏡機器製造者側（ＬＡＢ）から受信する手段と、
●  前記第５の組のデータ（Ｄ５）を格納し、前記格納された第５の組のデータ（Ｄ５）と前記格納された第１の組のデータ（Ｄ１）と眼鏡機器識別子ＩＤとを関連付ける手段と、をさらに含む請求項９に記載のネットワークデータ処理装置。
【請求項１１】
●  少なくとも前記眼鏡機器識別子ＩＤを含む眼鏡機器個人化要求を受信する手段と、
●  前記眼鏡機器個人化要求を受信すると、前記格納されたデータの少なくとも一部を含む第６の組のデータ（Ｄ６）を眼鏡機器個人化側（ＥＥＰＳ）へ送信する手段と、
●  前記第６の組のデータ（Ｄ６）を使用して得られた眼鏡機器個人化データ（ＥＥＰＤ）を少なくとも含む第７の組のデータ（Ｄ７）を前記眼鏡機器個人化側（ＬＤＳ）から受信する手段と、
●  前記第７の組のデータ（Ｄ７）を格納し、前記格納された第７の組のデータ（Ｄ７）と前記眼鏡機器識別子ＩＤとを関連付ける手段と、をさらに含む請求項９又は１０に記載のネットワークデータ処理装置。
【請求項１２】
プロセッサにアクセス可能な１又は複数の格納された一連の命令であって前記プロセッサにより実行されると前記プロセッサに請求項１乃至９のいずれか一項に記載の前記ステップを実行させる１又は複数の格納された一連の命令を含むコンピュータプログラム製品。
【請求項１３】
請求項１２に記載のコンピュータプログラム製品の１つ又は複数の一連の命令を担持するコンピュータ可読媒体。
【発明の詳細な説明】
【技術分野】
【０００１】
本発明は、装着者に適応化された眼鏡機器の少なくとも一部分を提供するコンピュータ手段により実施される方法と、本方法を実施する手段を含むネットワークデータ処理装置とに関する。
【背景技術】
【０００２】
本発明の背景の論述は本発明の情況について説明するために本明細書に含まれる。参照される構成要素のいずれも特許請求の範囲のいずれの優先日の時点で既に公表された、既知であった、又は一般的知識の一部であったということを認めるものではない。
【０００３】
通常、眼鏡機器を欲する眼鏡機器装着者はアイケア医師に会いに行く。
【０００４】
アイケア医師は、発注書を光学研究室へ送ることにより光学研究室に眼鏡機器を発注する。発注書は、装着者データ（例えば、装着者の処方箋）、眼鏡フレームデータ（例えば、装着者が選択した眼鏡フレームのタイプ）、及びレンズデータ（例えば、装着者が選択した光学レンズのタイプ）を含む。
【０００５】
光学研究室は発注書を受け取り、それを光学レンズ設計者へ送る。レンズ設計者は、発注書に含まれるデータのいくつかを使用して、装着者へ提供される光学レンズの設計を計算する。レンズ設計者により決定された光学設計は光学研究室へ送られ、光学レンズは計算された設計に基づき製造される。
【０００６】
製造される光学レンズは、発注書に従って光学的処理を加えるために処理され得る。
【０００７】
次に、光学レンズはアイケア医師へ送られる。光学レンズは、アイケア医師へ送られ眼鏡フレームに取り付けられる前に眼鏡フレームに合うように縁取りされ得る。
【０００８】
現在の光学レンズ配送処理はいくつかの欠点を提示する。
【０００９】
近年、新しい光学設計が発明された。これらの新しい光学設計は装着者に応じてますます個人専用化される。このような光学設計を行うために、レンズ設計者はますます多くの装着者パラメータを必要とし、したがってレンズ配送処理の異なる主体間で送信されるデータはより多くのパラメータを含む。実際の配送処理では、すべての装着者パラメータが処理装置のすべての主体へ送られ、データ交換をますます複雑にする。
【００１０】
さらに、新しい装着者パラメータを考慮することができるようにする新しい設計をレンズ設計者が生成すると、現在のレンズ配送処理は、配送処理に関与するすべての主体がこのような新しいパラメータを送受信できるように自身のインターフェースを更新することを必要とする。しかしながら、配送処理の主体の一部はこの新しいパラメータに関心が無いかもしれない。換言すれば、レンズ設計者が、新しい装着者パラメータを考慮する新しい光学設計を提案したい場合、光学レンズ配送処理の主体のすべてはインターフェースを更新する必要があり、新しい光学設計の提案を複雑かつ時間がかかり高価なものにする。
【００１１】
したがって、現在の配送処理は最新の光学設計と新しい光学設計の提案とにうまく適応化されていない。
【発明の概要】
【発明が解決しようとする課題】
【００１２】
本発明の目的は、上記欠点を提示しない装着者に適応化された眼鏡機器の少なくとも一部分を提供する方法を提案することである。
【課題を解決するための手段】
【００１３】
この目的を達成するために、本発明は、装着者に適応化された眼鏡機器の少なくとも一部分を提供するコンピュータ手段により実施される方法に関する。本方法は、
●  少なくとも装着者データを含む第１の組のデータが発注側から受信される装着者データ受信ステップと、
●  第１の組のデータが格納され、眼鏡機器の上記一部分を識別する眼鏡機器識別子ＩＤと関連付けられる装着者データ格納ステップと、
●  眼鏡機器識別子ＩＤが発注側へ送信される識別子送信ステップと、
●  少なくとも眼鏡機器識別子ＩＤを含む眼鏡機器設計要求が受信されると、格納された第１の組のデータの少なくとも一部分を含む第２の組のデータが眼鏡機器設計者側へ送信される眼鏡機器設計送信ステップと、
●  第２の組のデータを使用して計算された少なくとも眼鏡機器データを含む第３の組のデータが眼鏡機器設計者側から受信される眼鏡機器データ受信ステップと、
●  第３の組のデータが格納され眼鏡機器識別子ＩＤと関連付けられる眼鏡機器データ格納ステップと、
●  少なくとも眼鏡機器識別子ＩＤを含む眼鏡機器データ要求が受信されると、眼鏡機器識別子ＩＤと関連付けられ格納された第３の組のデータに含まれる少なくとも眼鏡機器データを含む第４の組のデータであって眼鏡機器の少なくとも一部分を製造するために使用される第４の組のデータが眼鏡機器製造者側へ送信される眼鏡機器データ送信ステップとを含む。
【００１４】
本発明はまた、装着者に適応化された眼鏡機器の少なくとも一部分を提供するコンピュータ手段により実施される方法に関する。本方法は、
●  遠隔コンピュータシステム上に格納された第１の組の格納データであって、少なくとも装着者データと眼鏡機器データとを含む第１の組の格納データに関連付けられた眼鏡機器識別子ＩＤを少なくとも含む眼鏡機器発注書を発注側から受信するステップと、
●  眼鏡機器識別子ＩＤに関連付けられた格納データの少なくとも眼鏡機器データ部分の要求を遠隔コンピュータシステムへ送信するステップと、
●  眼鏡機器識別子ＩＤに関連付けられた少なくとも眼鏡機器データを含む第２の組のデータを遠隔コンピュータシステムから受信するステップと、
●  第２の組のデータに含まれる眼鏡機器データを使用して眼鏡機器の少なくとも一部分を製造するステップと、
●  眼鏡機器の製造済み部分を発注側へ送るステップとを含む。
【００１５】
本発明はさらに、装着者に適応化された眼鏡機器の少なくとも一部に対応する眼鏡機器データを判断するコンピュータ手段により実施される方法に関する。本方法は、
●  遠隔コンピュータシステム上に格納された第１の組の格納データであって、少なくとも装着者データを含む第１の組の格納データに関連付けられた少なくとも眼鏡機器識別子ＩＤを含む眼鏡機器データ発注書を発注側から受信するステップと、
●  眼鏡機器識別子ＩＤに関連付けられた第１の組の格納データの少なくとも一部の要求を遠隔コンピュータシステムへ送信するステップと、
●  眼鏡機器識別子ＩＤに関連付けられた装着者データの少なくとも一部を含む第２の組のデータを遠隔コンピュータシステムから受信するステップと、
●  第２の組のデータに含まれる装着者データを使用して眼鏡機器の少なくとも一部分の眼鏡機器データを判断するステップと、
●  眼鏡機器識別子ＩＤに関連付けられた眼鏡機器データを遠隔コンピュータシステム上に格納するステップとを含む。
【００１６】
単独で又は組み合わせで考えられ得る別の実施形態によると、
−  本方法はさらに、第２の送信ステップの前に、
●  少なくとも眼鏡機器設計データを含む第５の組のデータが眼鏡機器製造者側から受信される眼鏡機器設計受信ステップと、
●  第５の組のデータが、格納され、格納された第１の組のデータと眼鏡機器識別子とに関連付けられる眼鏡機器設計格納ステップとを含み、及び／又は
−  眼鏡機器は少なくとも１つの光学レンズ及び／又は眼鏡フレーム及び／又は能動的眼鏡機器であり、及び／又は
−  眼鏡機器データは眼鏡機器の一部分を製造する眼鏡機器製造者により使用される製造装置に適応化された処理製造データを含み、及び／又は
−  本方法はさらに、識別子送信ステップ後に、
●  少なくとも眼鏡機器識別子を含む眼鏡機器個人化要求が受信されると、格納データの少なくとも一部を含む第６の組のデータが眼鏡機器個人化側へ送信される眼鏡機器個人化送信ステップと、
●  第６の組のデータを使用して得られた眼鏡機器個人化データを少なくとも含む第７の組のデータが眼鏡機器個人化側から受信される眼鏡機器個人化データ受信ステップと、
●  第７の組のデータが格納され眼鏡機器識別子ＩＤと関連付けられる眼鏡機器個人化データ格納ステップとを含み、及び／又は
−  眼鏡機器個人化データは眼鏡機器製造者により製造される眼鏡機器の一部分とは別の部分に関係し、及び／又は
−  眼鏡機器は一対の眼鏡レンズであり、眼鏡機器データは光学レンズに関係し、眼鏡機器個人化データは眼鏡フレームに関係し、及び／又は
−  上記ステップは少なくともサーバと記憶装置とを含むネットワークデータ処理装置により行われ、ネットワークデータ処理装置は発注側、眼鏡機器設計者側、及び眼鏡機器製造者に接続され、発注、眼鏡機器設計者側、眼鏡機器製造者の少なくとも１つはインターネット上でネットワークデータ処理装置へ接続される。
【００１７】
本発明はまた、
●  少なくとも装着者データを含む第１の組のデータを発注側から受信する手段と、
●  第１の組のデータを格納し、格納された第１の組のデータと、装着者に適応化された眼鏡機器の一部分を識別する眼鏡機器識別子とを関連付ける手段と、
●  眼鏡機器識別子を発注側へ送信する手段と、
●  少なくとも眼鏡機器識別子を含む眼鏡機器設計要求を受信する手段と、
●  眼鏡機器設計要求を受信すると、格納された第１の組のデータの少なくとも一部を含む第２の組のデータを眼鏡機器設計者側へ送信する手段と、
●  第２の組のデータを使用して計算された少なくとも眼鏡機器データを含む第３の組のデータを眼鏡機器設計者側から受信する手段と、
●  第３の組のデータを格納し格納された第３の組のデータと眼鏡機器識別子とを関連付ける手段と、
●  少なくとも眼鏡機器識別子を含む眼鏡機器データ要求を受信する手段と、
●  眼鏡機器データ要求を受信すると、眼鏡機器識別子に関連付けられ格納された第３の組のデータに含まれる眼鏡機器データを少なくとも含む第４の組のデータであって眼鏡機器の少なくとも一部分を製造するために使用される第４の組のデータを眼鏡機器製造者側へ送信する手段とを含むネットワークデータ処理装置に関する。
【００１８】
単独で又は組み合わせで考えられ得る別の実施形態によると、ネットワークデータ処理はさらに、
●  少なくとも眼鏡機器設計データを含む第５の組のデータを眼鏡機器製造者側から受信する手段と、
●  第５の組のデータを格納し、格納された第５の組のデータと、格納された第１の組のデータと眼鏡機器識別子とを関連付ける手段とを含み、及び／又はネットワークデータ処理はさらに、
●  少なくとも眼鏡機器識別子を含む眼鏡機器個人化要求を受信する手段と、
●  眼鏡機器個人化要求を受信すると、格納データの少なくとも一部を含む第６の組のデータを眼鏡機器個人化側へ送信する手段と、
●  第６の組のデータを使用して得られた眼鏡機器個人化データを少なくとも含む第７の組のデータを眼鏡機器個人化側から受信する手段と、
●  第７の組のデータを格納し、格納された第７の組のデータと眼鏡機器識別子とを関連付ける手段とを含む。
【００１９】
別の態様によると、本発明は、プロセッサにアクセス可能な１つ又は複数の一連の格納された命令であってプロセッサにより実行されるとプロセッサに本発明による方法のステップを実行させる一連の格納された命令を含むコンピュータプログラム製品に関する。
【００２０】
本発明はさらに、本発明によるコンピュータプログラム製品の１つ又は複数の一連の命令を担持するコンピュータ可読媒体に関する。
【００２１】
さらに、本発明はコンピュータに本発明の方法を実行させるプログラムに関する。
【００２２】
本発明はまた、コンピュータに本発明の方法を実行させる記録されたプログラムを有するコンピュータ可読記憶媒体に関する。
【００２３】
本発明はさらに、１つ又は複数の一連の命令を格納し本発明による方法のステップの少なくとも１つを行うように適応化されたプロセッサを含む装置に関する。
【００２４】
特記しない限り、以下の論述から明らかなように、本明細書論述を通して、「計算する」、「生成する」などの用語を使用する論述は、計算システムのレジスタ及び／又はメモリ内の電子的量などの物理量として表されるデータを、計算システムのメモリ、レジスタ、又は他のこのような情報記憶装置、送信装置、又は表示装置内の物理量として同様に表される他のデータに操作及び／又は変換するコンピュータ又は計算システム又は同様な電子計算装置の行為及び／又は処理を指すということが理解される。
【００２５】
本発明のいくつかの実施形態は本明細書における動作を行う装置を含み得る。この装置は、所望の目的のために特に構築され得る、又はコンピュータ内に格納されたコンピュータプログラムにより選択的に活性化又は再構成される汎用コンピュータ又はフィールドプログラマブルゲートアレイ（ＦＰＧＡ）又はディジタル信号処理装置（ＤＳＰ）を含み得る。このようなコンピュータプログラムは、限定しないが、フロッピー（登録商標）ディスク、光ディスク、ＣＤ−ＲＯＭ、光磁気ディスク、読み取り専用メモリ（ＲＯＭ）、ランダムアクセスメモリ（ＲＡＭ）、電気的プログラマブル読み取り専用メモリ（ＥＰＲＯＭ）、電気的消去可能及びプログラム可能な読み出し専用メモリ（ＥＥＰＲＯＭ）、磁気又は光カード、又は電子的命令を格納するのに好適でありかつコンピュータシステムバスに結合できる任意の他のタイプの媒体を含む任意のタイプのディスクなどのコンピュータ可読記憶媒体内に格納され得る。
【００２６】
本明細書に提示される処理と表示は、いかなる特定のコンピュータ又は他の装置にも本質的には関連付けられない。様々な汎用システムが本明細書の教示に従ってプログラムと共に使用され得る、又は様々な汎用システムは所望の方法を実行するように専用化された装置を構築するのに好都合であるということが分かるかもしれない。多種多様のこれらのシステムの所望の構造は以下の説明から分かる。加えて、本発明の実施形態はいかなる特定のプログラミング言語も参照して記述されない。本明細書に記載される本発明の教示を実施するために様々なプログラミング言語が使用され得るということが理解される。
【００２７】
本発明の他の特徴と利点は、添付図を参照する非限定的実施形態の以下の説明から明らかになる。
【図面の簡単な説明】
【００２８】
【図１】本発明による方法の様々なステップのフローチャートである。
【図２】本発明による方法を実施する光学レンズ提供システムの実施例を図式的に表す。
【図３】本発明によるネットワーク化データ処理装置を表す。
【発明を実施するための形態】
【００２９】
本発明は、装着者に適応化された眼鏡機器の少なくとも一部分を提供するコンピュータ手段により実施される方法に関する。
【００３０】
眼鏡機器は、光学レンズ及び／又は眼鏡フレーム及び／又は能動的眼鏡機器であり得る。「光学レンズ」により意味するものは、限定しないが眼鏡レンズ、コンタクトレンズ、眼内レンズなどを含む任意の光学レンズである。「装着者に適応化された光学レンズ」により意味することは、光学レンズが装着者の眼の処方箋の要件を少なくとも満足するということである。
【００３１】
図１に示す本発明の実施形態によると、本方法は、
●  装着者データ受信ステップＳ１、
●  装着者データ格納ステップＳ２、
●  識別子送信ステップＳ３、
●  眼鏡機器設計送信ステップＳ４、
●  眼鏡機器データ受信ステップＳ５、
●  眼鏡機器データ格納ステップＳ６、及び
●  眼鏡機器データ送信ステップＳ７を含む。
【００３２】
図２に示すように、本発明による方法は、サーバＳＥＲと記憶装置ＭＥＭとを含むネットワーク化データ処理装置ＥＷＤＢにより行われ得る。ネットワーク化データ処理装置は、少なくとも発注側ＥＣＰ（例えば、アイケア医師）、眼鏡製造者ＬＡＢ（例えば、光学レンズ製造者）、及び眼鏡機器設計者ＯＬＤ（例えば、光学レンズ設計者）へ接続されている。
【００３３】
ネットワーク化データ処理装置ＥＷＤＢは、インターネット上で、発注側ＥＣＰ、眼鏡製造者ＬＡＢ、眼鏡機器設計者ＯＬＤの少なくとも１つ（例えば、すべて）へ接続される。
【００３４】
装着者データ受信ステップＳ１中、第１の組のデータＤ１がネットワーク化データ処理装置ＥＷＤＢにより発注側ＥＣＰから受信される。第１の組のデータＤ１は少なくとも装着者データを含む。装着者データは、例えば球面度数、非点収差、非点収差のシリンダ軸、度数加入度などを含む装着者の処方データを含み得る。装着者データはさらに、例えば瞳孔間距離、頂点間距離、装用時前傾角、周辺標的に追随するために自身の頭又は眼を動かす装着者のプロポーション、又は装着者に関係する任意の他のデータのような個別データを含み得る。
【００３５】
第１の組のデータＤ１はさらに、レンズを担持する眼鏡フレームに関するデータを含み得る。このようなデータは、例えば、光学レンズを担持する眼鏡フレームの内縁形状に関係する情報、縁寸法の測定結果、このような縁の傾斜角などを含む眼鏡フレーム情報を含み得る。
【００３６】
本発明の実施形態によると、第１の組のデータは装着者により選択されたタイプの眼鏡フレームに対する単純参照子（例えば、フレームモデル参照子）を含み得る。
【００３７】
加えて、第１の組のデータは、あるタイプの光学レンズの選択に関係するデータ（例えば、レンズ光学設計、レンズ材料、その被覆など）を含み得る。
【００３８】
装着者データ格納ステップＳ２中、第１の組のデータＤ１はネットワーク化データ処理装置ＥＷＤＢにより例えば記憶ユニットＭＥＭ内に格納される。格納されると、第１の組のデータＤ１は、提供される眼鏡機器の一部分を識別する眼鏡機器識別子ＩＤと関連付けられる。
【００３９】
眼鏡機器識別子ＩＤは識別子送信ステップＳ３中に発注側ＥＣＰへ送信される。
【００４０】
眼鏡機器識別子ＩＤを受信した後、発注側ＥＣＰは眼鏡機器の少なくとも一部分が提供されるように眼鏡機器製造者に接触し得る。
【００４１】
有利には、眼鏡機器製造者ＬＡＢに接触する際、発注側ＥＣＰはほんの少しの情報（例えば、眼鏡機器の少なくとも一部分を要求する指示、眼鏡機器識別子ステップＳ３中に受信された眼鏡機器識別子ＩＤ）を提供し得る。
【００４２】
眼鏡機器設計送信ステップＳ４中、格納された第１の組のデータＤ１の少なくとも一部を含む第２の組のデータＤ２が眼鏡機器設計者側ＬＤＳ（例えば、眼用レンズ設計者側）へ送信される。第２の組のデータＤ２は、少なくとも眼鏡機器識別子ＩＤを含む眼鏡機器設計要求が受信されると、眼鏡機器設計者側ＬＤＳへ設定される。
【００４３】
眼鏡機器設計は眼鏡機器の形状を規定するパラメータに対応する。
【００４４】
眼用レンズの場合、設計はレンズの表面上の球とシリンダとの変更、フレームの場合、その形状の変更であり得る。
【００４５】
眼用レンズの場合、「設計」は、一般的光学系の光学的機能を定義できるようにする一組のパラメータを指定するために当業者に公知の広く使用される用語であり、各眼用レンズ製造者は、特に非球面レンズと累進レンズの製造者自身の設計を有する。一例として、累進レンズ「設計」は、すべての距離ではっきり見るために老眼者の能力を回復し、また中心視覚、中心外視覚、双眼視覚などのすべての生理学的視覚機能を最適に尊重し、不要な非点収差を最小化するように、累進表面の最適化をもたらす。累進レンズ「設計」は商業化される前に厳しい臨床試験を通して試験される。
【００４６】
本発明の実施形態によると、発注側ＥＣＰにより接触される眼鏡機器製造者ＬＡＢは、眼鏡機器の少なくとも一部分の設計を判断するように眼鏡機器設計者に接触しなければならない。例えば、眼鏡機器設計者は、提供すべき眼用レンズの光学設計を判断し得る。
【００４７】
有利には、眼鏡機器設計者ＬＤＳに接触する際、眼鏡機器製造者ＬＡＢはほんの少しの情報（例えば、眼鏡機器の少なくとも一部分の設計情報を要求する指示、眼鏡機器識別子ステップＳ３中に受信される眼鏡機器識別子ＩＤ）を提供し得る。
【００４８】
眼鏡機器に関し必要とし得る情報を得たければ、眼鏡機器設計者は少なくとも眼鏡機器識別子ＩＤを含む眼鏡機器設計要求を送信し、返報として第２の組のデータＤ２を受信する。
【００４９】
眼鏡機器データ受信ステップＳ５中、第２の組のデータＤ２を使用して計算された少なくとも眼鏡機器データＯＬＤを含む第３の組のデータＤ３が眼鏡機器設計者側ＬＤＳから受信される。眼鏡機器データＯＬＤは、提供すべき光学レンズの幾何学的及び光学的特徴を定義するデータを含み得る。
【００５０】
本発明の実施形態によると、眼鏡機器データＯＬＤは、眼鏡機器の少なくとも一部分を製造する眼鏡機器製造者により使用される製造装置に適応化された処理製造データを含み得る。
【００５１】
第３の組のデータＤ３は、眼鏡機器データ格納ステップＳ６中に格納され、眼鏡機器識別子ＩＤと関連付けられる。
【００５２】
眼鏡機器データ送信ステップＳ７中、少なくとも眼鏡機器識別子ＩＤを含む眼鏡機器データ要求を受信すると第４の組のデータＤ４が眼鏡機器製造者側へ送信される。
【００５３】
第４の組のデータＤ４は、眼鏡機器識別子ＩＤに関連付けられ格納された第３の組のデータに含まれる眼鏡機器データＯＬＤを少なくとも含む。
【００５４】
眼鏡機器製造者は、眼鏡機器の少なくとも一部分を製造するために第４の組のデータＤ４を使用する。
【００５５】
眼鏡機器の少なくとも一部分が製造されると、眼鏡機器の一部分は発注側に送られ得る。
【００５６】
有利には、本発明による方法は眼鏡配送処理の様々な主体間で交換される情報を低減できるようにする。特に各主体では、例えば製造者及び／又は設計者は眼鏡機器識別子ＩＤを使用することにより装着者と機器情報とにアクセスし得る。
【００５７】
図１に示す本発明の実施形態によると、本方法はさらに、眼鏡機器設計送信ステップＳ４の前に、
●  眼鏡機器設計受信ステップＳ３１、及び
●  眼鏡機器設計格納ステップＳ３２を含む。
【００５８】
眼鏡機器設計受信ステップＳ３１中、少なくとも眼鏡機器設計データを含む第５の組のデータＤ５が眼鏡機器製造者側ＬＡＢから受信される。第５の組のデータＤ５は、格納された第１の組のデータＤ１と眼鏡機器識別子ＩＤとに関連付けられ格納される。
【００５９】
有利には、このような実施形態は、眼鏡製造者に特定設計データを規定できるようにする。例えば、眼鏡製造者は、製造するために備える光学設計のタイプ及び／又は使用する装置のタイプ又は眼鏡機器設計者に有用であり得る任意の他の情報を規定し得る。
【００６０】
図２に示すように、別の主体は、情報を受信しネットワーク化データ処理装置に加え得る。
【００６１】
本発明の実施形態によると、眼鏡機器個人化主体ＥＥＰＳは、情報を受信しネットワーク化データ処理装置ＥＷＤＢへ加え得る。眼鏡機器個人化主体は、眼鏡レンズ供給者、光学的処理供給者、又は任意の他の眼装着者装置個人化主体であり得る。
【００６２】
例えば、第１の組のデータＤ１は、眼鏡フレームのタイプに対する単純参照子を含み得るが、眼鏡フレーム測定結果は含まない。眼鏡機器個人化主体は、装着者により選択された眼鏡フレームのタイプに基づき眼鏡フレームを眼鏡発注側へ提供する眼鏡フレーム供給者であり得る。提供された眼鏡フレームの測定結果は眼鏡機器製造者及び／又は設計者に利用され得る。
【００６３】
本発明の実施形態によると、本発明による方法はさらに、識別子送信ステップＳ３後に、
●  眼鏡機器個人化送信ステップＳＰ１、
●  眼鏡機器個人化データ受信ステップＳＰ２、及び
●  眼鏡機器個人化データ格納ステップＳＰ３を含み得る。
【００６４】
眼鏡機器個人化送信ステップＳＰ１中、少なくとも眼鏡機器識別子ＩＤを含む眼鏡機器個人化要求が受信されると、格納データの少なくとも一部を含む第６の組のデータＤ６が眼鏡機器個人化側ＥＥＰＳへ送信される。例えば、第６の組のデータＤ６は眼鏡フレーム参照子を含み得る。
【００６５】
眼鏡機器個人化データ受信ステップＳＰ２中、第６の組のデータＤ６を使用して得られた眼鏡機器個人化データＥＥＰＤを少なくとも含む第７の組のデータＤ７が眼鏡機器個人化側から受信される。例えば、第６の組のデータに含まれる眼鏡フレーム参照子に対応する眼鏡フレームが測定され、前記眼鏡フレームの測定結果は眼鏡機器個人化データ受信ステップＳＰ２中に受信される。
【００６６】
第７の組のデータＤ７は眼鏡機器個人化データ格納ステップＳＰ３中に眼鏡機器識別子ＩＤに関連付けられ格納される。
【００６７】
有利には、製造者及び／又は設計者などの他の主体は、眼鏡機器個人化主体に直接接触する必要無く、第７の組のデータＤ７に含まれるデータにアクセスし得る。
【００６８】
したがって、新しい個人化主体が格納データを強化し得、任意の他の主体が他の新しい個人化主体との特定リンクを導入する必要無く新しい個人化データにアクセスし得る。
【００６９】
図３に示すように、本発明はまた、本発明による方法を実施するように構成されるネットワークデータ処理装置に関する。ネットワークデータ処理装置は、少なくとも１つの受信モジュールＲＥＣ、処理モジュールＰＲＯＣ、格納モジュールＤＢ（例えば、データベースタイプ）、及び送信モジュールＳＥＮを含む。
【００７０】
受信モジュールは遠隔エンティティから少なくとも要求とデータを受信するように構成される。
【００７１】
処理モジュールは受信モジュールにより受信された要求とデータを処理するように構成される。
【００７２】
送信モジュールは遠隔エンティティへデータを送信するように構成される。
【００７３】
最初に、受信モジュールＲＥＣは、少なくとも装着者データを含む第１の組のデータＤ１を受信する。第１の組のデータは発注側により送信され得る。
【００７４】
受信モジュールＲＥＣにより受信された第１の組のデータは処理モジュールＰＲＯＣへ転送される。処理モジュールは、第１の組のデータＤ１と、装着者へ提供される眼鏡機器の少なくとも一部分を識別する眼鏡機器識別子ＩＤとを関連付ける。第１の組のデータと眼鏡機器識別子ＩＤは格納モジュールＤＢ内に格納される。
【００７５】
処理モジュールＰＲＯＣは眼鏡機器識別子ＩＤを送信モジュールＳＥＮに発注側へ送信させる。
【００７６】
受信モジュールは、眼鏡機器設計要求を例えば眼鏡機器設計者側から受信し処理モジュールへ転送するように構成される。処理モジュールは、眼鏡機器設計要求を受信すると、第２の組のデータＤ２を抽出し、それを送信モジュールに例えば眼鏡機器設計者側へ送信させるように構成される。第２の組のデータは一組の格納データの少なくとも一部を含む。
【００７７】
受信モジュールは第３の組のデータＤ３を例えば眼鏡機器設計者側から受信しそれを処理モジュールへ転送するように構成される。第３の組のデータは少なくとも眼鏡機器データを含む。
【００７８】
処理モジュールは、第３の組のデータＤ３と、第３の組のデータＤ３を識別する眼鏡機器識別子ＩＤとを関連付け、第３の組のデータＤ３を格納モジュールＤＢ内に格納する。
【００７９】
受信モジュールは、眼鏡機器データ要求を例えば眼鏡機器製造者側から受信し処理モジュールへ転送するように構成される。処理モジュールは、眼鏡機器データ要求を受信すると、第４の組のデータＤ４を抽出し、それを送信モジュールに例えば眼鏡機器製造者側へ送信させるように構成される。第４の組のデータは眼鏡機器データＯＬＤの少なくとも一部を含む。
【００８０】
本発明の実施形態によると、受信モジュールは少なくとも眼鏡機器設計データを含む第５の組のデータを例えば眼鏡機器製造者側ＬＡＢから受信し、処理モジュールＰＲＯＣへ転送するように構成される。処理モジュールＰＲＯＣは、第５の組のデータと眼鏡機器識別子ＩＤとを関連付け、第５の組のデータと眼鏡機器データとを関連付けるように構成される。
【００８１】
本発明の実施形態によると、受信モジュールは、眼鏡機器個人化要求を例えば眼鏡機器個人化側から受信し処理モジュールへ転送するように構成される。処理モジュールは、眼鏡機器個人化要求を受信すると、第６の組のデータＤ６を抽出し、それを送信モジュールに例えば眼鏡機器個人化側へ送信させるように構成される。第６の組のデータＤ６は一組の格納データの少なくとも一部を含む。
【００８２】
受信モジュールＲＥＣはさらに、少なくとも眼鏡機器個人化データを含む第７の組のデータＤ７を受信するように構成される。第７の組のデータＤ７は眼鏡機器個人化側により送信され得る。
【００８３】
受信モジュールＲＥＣにより受信された第７の組のデータＤ７は処理モジュールＰＲＯＣへ転送される。処理モジュールは第７の組のデータＤ７と眼鏡機器識別子ＩＤとを関連付ける。第７の組のデータＤ７と眼鏡機器識別子ＩＤは格納モジュールＤＢ内に格納される。
【００８４】
本発明は、特許請求の範囲に定義されるような一般的発明概念の制限無しに、実施形態の助けを借りて上に説明された。
【図１】
2015533431.tif 000003
【図２】
2015533431.tif 000004
【図３】
2015533431.tif 000005
【国際調査報告】
2015533431.tif 000006
2015533431.tif 000007